(57)【特許請求の範囲】
【請求項１】
表示装置であって、
ディスプレイと、
前記ディスプレイを背面から光を照射するバックライト光源と、
前記表示装置の電源がオンのときに、前記表示装置に設けられた操作用ボタンに光を照射するＬＥＤと、
前記バックライト光源および前記ＬＥＤの輝度の設定値の入力を段階的に増減可能に受ける共通の入力部と、
前記輝度の設定値に基づいて、前記バックライト光源および前記ＬＥＤの輝度を調整する光源制御部とを備え、
前記光源制御部は、
輝度の設定値と第１のＤｕｔｙ比との対応を定めた第１のテーブルと、輝度の設定値と第２のＤｕｔｙ比との対応を定めた第２のテーブルとを記憶する記憶部と、
前記第１のテーブルを参照して、前記入力された輝度の設定値に対応する第１のＤｕｔｙ比の第１のＰＷＭ信号を出力する第１のＰＷＭ信号発生回路と、
前記第２のテーブルを参照して、前記入力された輝度の設定値に対応する第２のＤｕｔｙ比の第２のＰＷＭ信号を出力する第２のＰＷＭ信号発生回路と、
前記第１のＰＷＭ信号に従って、前記バックライトの輝度を制御する第１のドライバと、
前記第２のＰＷＭ信号に従って、前記ＬＥＤの輝度を制御する第２のドライバとを含む、表示装置。
【請求項２】
表示装置であって、
ディスプレイと、
前記ディスプレイを背面から光を照射するバックライト光源と、
前記表示装置の電源がオンのときに限り光を照射する状態表示ＬＥＤと、
前記バックライト光源および前記状態表示ＬＥＤの輝度の設定値の入力を段階的に増減可能に受ける共通の入力部と、
前記輝度の設定値に基づいて、前記バックライト光源および前記状態表示ＬＥＤの輝度を調整する光源制御部とを備え、
前記光源制御部は、
輝度の設定値と第１のＤｕｔｙ比との対応を定めた第１のテーブルと、輝度の設定値と第２のＤｕｔｙ比との対応を定めた第２のテーブルとを記憶する記憶部と、
前記第１のテーブルを参照して、前記入力された輝度の設定値に対応する第１のＤｕｔｙ比の第１のＰＷＭ信号を出力する第１のＰＷＭ信号発生回路と、
前記第２のテーブルを参照して、前記入力された輝度の設定値に対応する第２のＤｕｔｙ比の第２のＰＷＭ信号を出力する第２のＰＷＭ信号発生回路と、
前記第１のＰＷＭ信号に従って、前記バックライトの輝度を制御する第１のドライバと、
前記第２のＰＷＭ信号に従って、前記状態表示ＬＥＤの輝度を制御する第２のドライバとを含む、表示装置。
【請求項３】
前記第１のテーブルおよび前記第２のテーブルでは、前記輝度の設定値が大きいときには、前記第１のＤｕｔｙ比および前記第２のＤｕｔｙ比が高くなるように定められている、請求項１または２記載の表示装置。
【発明の詳細な説明】
【技術分野】
【０００１】
本発明は、表示装置に関し、特に、ディスプレイとともに、ユーザへの通知用またはユーザの操作ボタンを照らすためのＬＥＤ（Light Emitting Diode）を有する表示装置に関する。
【背景技術】
【０００２】
従来から、ユーザの操作によって、ディスプレイの輝度を調整することができる装置が提案されている。
【０００３】
たとえば、特許文献１（特開２０１０−１１７５６９号公報）に記載のコンピュータは、第１のディスプレイと第２のディスプレイを備えるデュアル・ディスプレイ式のコンピュータであって、第１のディスプレイの輝度と第２のディスプレイの輝度を同時に制御するための複数の操作ステップ値を格納するステップ値格納手段と、操作ステップ値ごとに第１のディスプレイに設定する輝度値に対応する複数の第１の制御ステップ値を格納する第１の輝度テーブルと、連続する所定の数の操作ステップ値の範囲で第１のディスプレイに設定する輝度値と第２のディスプレイに設定する輝度値がほぼ一致するように、操作ステップ値ごとに第２のディスプレイに設定する輝度値に対応する複数の第２の制御ステップ値を格納する第２の輝度テーブルとを備える。このコンピュータは、さらに、ステップ値格納手段に格納された複数の複数の操作ステップ値のなかからいずれかの操作ステップ値を選択するステップ値選択手段と、選択された操作ステップ値と第１の輝度テーブルと第２の輝度テーブルとを参照してそれぞれのバックライトを制御する輝度制御手段とを有する。
【０００４】
特許文献１では、このような構成によって、単一の操作で２つのディスプレイの輝度を調整することができる。
【先行技術文献】
【特許文献】
【０００５】
【特許文献１】特開２０１０−１１７５６９号公報
【発明の概要】
【発明が解決しようとする課題】
【０００６】
ところで、表示装置にタッチパネルを組み込んで、外部の機器を制御するような場合には、表示装置に、ユーザの操作ボタンを照らすためのＬＥＤや表示装置の動作状態（オンかオフか）を表わすためのＬＥＤが設けられることがある。
【０００７】
このような表示装置を、夜間の船舶などの暗い環境で使用する場合に、眩しさを回避するために、特許文献１に記載されたような従来の技術では、ディスプレイの輝度を低くすることはできるが、動作状態を表わすためのＬＥＤや操作ボタンを照らすためのＬＥＤの輝度は低くすることができない。そのため、現状では、ユーザは、このようなＬＥＤによる眩しさを避けるために、ＬＥＤをシールで覆うなどで対応しており、極めて使い勝手が悪い。
【０００８】
それゆえに、本発明の目的は、簡単な操作で、動作状態を表わすためのＬＥＤ、または操作ボタンを照らすためのＬＥＤの輝度を調整できる表示装置を提供することである。
【課題を解決するための手段】
【０００９】
上記課題を解決するために、本発明は、表示装置であって、ディスプレイと、ディスプレイに対して背後から光を照射するバックライト光源と、表示装置の電源がオンのときに、表示装置に設けられた操作用ボタンに光を照射するＬＥＤと、輝度の設定値の入力を受ける入力部と、輝度の設定値に基づいて、バックライト光源およびＬＥＤの輝度を調整する光源制御部とを備える。
【００１０】
本発明は、表示装置であって、ディスプレイと、ディスプレイに対して背後から光を照射するバックライト光源と、表示装置の電源がオンのときに限り光を照射するＬＥＤと、輝度の設定値の入力を受ける入力部と、輝度の設定値に基づいて、バックライト光源およびＬＥＤの輝度を調整する光源制御部とを備える。
【００１１】
好ましくは、光源制御部は、輝度の設定値とＤｕｔｙ比との対応を定めたテーブルを記憶する記憶部と、入力された輝度の設定値に対応するＤｕｔｙ比をテーブルから読み出して、読み出したＤｕｔｙ比のＰＷＭ信号を出力するＰＷＭ信号発生回路と、ＰＷＭ信号に従って、バックライト光源の輝度を制御する第１のドライバと、ＰＷＭ信号に従って、ＬＥＤの輝度を制御する第２のドライバとを備える。
【００１２】
好ましくは、光源制御部は、輝度の設定値と第１のＤｕｔｙ比との対応を定めた第１のテーブルと、輝度の設定値と第２のＤｕｔｙ比との対応を定めた第２のテーブルとを記憶する記憶部と、入力された輝度の設定値に対応する第１のＤｕｔｙ比を第１のテーブルから読み出して、読み出した第１のＤｕｔｙ比の第１のＰＷＭ信号を出力する第１のＰＷＭ信号発生回路と、入力された輝度の設定値に対応する第２のＤｕｔｙ比を第２のテーブルから読み出して、読み出した第２のＤｕｔｙ比の第２のＰＷＭ信号を出力する第２のＰＷＭ信号発生回路と、第１のＰＷＭ信号に従って、バックライト光源の輝度を制御する第１のドライバと、第２のＰＷＭ信号に従って、ＬＥＤの輝度を制御する第２のドライバとを備える。
【００１３】
好ましくは、入力部は、ディスプレイと一体化されて構成されるタッチパッドである。
好ましくは、入力部は、外部から輝度の設定値を受信する通信回路である。
【発明の効果】
【００１４】
本発明によれば、簡単な操作で、動作状態を表わすためのＬＥＤ、または操作ボタンを照らすためのＬＥＤの輝度を調整できる。
【図面の簡単な説明】
【００１５】
【図１】第１の実施形態の表示装置の外観を表わす図である。
【図２】第１の実施形態の表示装置の構成を表わす図である。
【図３】輝度の設定画面を表わす図である。
【図４】第１の実施形態のＤｕｔｙ比テーブルの例を表わす図である。
【図５】第１の実施形態の表示装置の動作手順を表わすフローチャートである。
【図６】第２の実施形態の表示装置の構成を表わす図である。
【図７】（ａ）は、第２の実施形態の第１Ｄｕｔｙ比テーブルの例を表わす図である。（ｂ）は、第２の実施形態の第２Ｄｕｔｙ比テーブルの例を表わす図である。
【図８】第２の実施形態の表示装置の動作手順を表わすフローチャートである。
【図９】第３の実施形態の表示装置の構成を表わす図である。
【発明を実施するための形態】
【００１６】
以下、本発明の実施形態について図面を参照して説明する。
［第１の実施形態］
（外観）
図１は、第１の実施形態の表示装置の外観を表わす図である。
【００１７】
表示装置は、液晶ディスプレイ１とタッチパッド１３とが一体化された液晶タッチパネルを備える。また、この表示装置は、液晶パネルの外側の筺体に内部に設けられた状態表示ＬＥＤ２と、ボタンＬＥＤ３ａ〜３ｃとを備える。
【００１８】
ユーザが、タッチパッド１３から入力することによって、この表示装置に接続されているプログラマブルコントローラを介して、機器を制御することができる。また、プログラマブルコントローラを介して、機器の温度情報などを液晶ディスプレイ１に表示させることができる。
【００１９】
ボタンＬＥＤ３ａ〜３ｃは、表示装置の電源がオンのときに、表示装置に設けられる操作用ボタンに対して、背後から光を照射するＬＥＤである。
【００２０】
状態表示ＬＥＤ２は、表示装置の電源がオンのときに限り光を照射するＬＥＤである。
（構成）
図２は、第１の実施形態の表示装置の構成を表わす図である。
【００２１】
図２を参照して、この表示装置５１は、メモリ１１と、ＭＰＵ（Micro-Processing Unit）１２と、光源制御部９９と、バックライトＬＥＤ１７と、液晶ディスプレイ（ＬＣＤ：Liquid Crystal Display）１と、タッチパッド１３と、状態表示ＬＥＤ２と、ボタンＬＥＤ３ａ，３ｂ，３ｃとを備える。
【００２２】
液晶ディスプレイ１は、機器を制御するためのＧＵＩ（Graphical User Interface）画像などを表示する。
【００２３】
タッチパッド１３は、ユーザからの機器を制御するための入力などを受ける。
液晶ディスプレイ１には、図３に示すような、輝度の設定画面が表示される。ユーザがアップボタン４をタッチすることによって、輝度の設定値６が増加する。ユーザがダウンボタン５をタッチすることによって、輝度の設定値６が減少する。たとえば、輝度の設定値が０〜３１の３２段階の場合には、０〜３１のいずれかの輝度の設定値が入力される。
【００２４】
バックライトＬＥＤ１７は、液晶ディスプレイ１に対して背後から光を照射する。
メモリ１１は、タッチパッド１３から入力された輝度の設定値を保存する。たとえば、輝度の設定値が０〜３１の３２段階の場合には、メモリ１１は、０〜３１のいずれかの輝度の設定値を保存する。
【００２５】
ＭＰＵ１２は、メモリ１１に格納された輝度の設定値を表わす制御信号を光源制御部９９へ出力する。たとえば、輝度の設定値が０〜３１の３２段階の場合には、ＭＰＵ１２は、メモリ１１に格納された０〜３１のいずれかの輝度の設定値を表わす制御信号を出力する。
【００２６】
光源制御部９９は、輝度の設定値に基づいて、バックライトＬＥＤ１７、ボタンＬＥＤ３ａ，３ｂ，３ｃ、および状態表示ＬＥＤの輝度を調整する。
【００２７】
光源制御部９９は、Ｄｕｔｙ比テーブル記憶部１４と、ＰＷＭ（Pulse Width Modulation）信号発生回路と、バックライトＬＥＤドライバ１６と、状態表示ＬＥＤドライバ１９と、ボタンＬＥＤドライバ２１ａ，２１ｂ，２１ｃとを備える。
【００２８】
Ｄｕｔｙ比テーブル記憶部１４は、Ｄｕｔｙ比テーブルを記憶する。Ｄｕｔｙ比テーブルは、輝度の設定値と、Ｄｕｔｙ比との対応を定める。たとえば、輝度の設定値が０〜３１の３２段階の場合には、Ｄｕｔｙ比テーブルは、０〜３１の各段階に対応するＤｕｔｙ比の対応を定める。
【００２９】
図４は、第１の実施形態のＤｕｔｙ比テーブルの例を表わす図である。
図４に示すように、このＤｕｔｙ比テーブルは、輝度の設定値が大きいときには、Ｄｕｔｙ比が高くなるように定められている。ただし、輝度の設定値が小さいところ（図４のＡに示す）、および輝度の設定値が大きいところ（図４のＣに示す）は、輝度の設定値が中間のところ（図４のＢに示す）よりも、細かく調整することができるように、輝度の設定値の変化に対して、Ｄｕｔｙ比の変化量が小さい。
【００３０】
ＰＷＭ信号発生回路１５は、ＭＰＵ１２から出力された制御信号を受けて、Ｄｕｔｙ比テーブルから輝度の設定値に対応するＤｕｔｙ比を読み出して、読み出したＤｕｔｙ比のＰＷＭ信号を出力する。
【００３１】
バックライトＬＥＤドライバ１６は、ＰＷＭ信号に基づいて、バックライトＬＥＤ１７への電流または電圧を変化させることによって、バックライトＬＥＤ１７の輝度を制御する。
【００３２】
状態表示ＬＥＤドライバ１９は、ＰＷＭ信号に基づいて、状態表示ＬＥＤへの電流または電圧を変化させることによって、状態表示ＬＥＤの輝度を制御する。
【００３３】
ボタンＬＥＤドライバ２１ａ，２１ｂ，２１ｃは、ＰＷＭ信号に基づいて、ボタンＬＥＤ３ａ，３ｂ，３ｃへの電流または電圧を変化させることによって、ボタンＬＥＤ３ａ，３ｂ，３ｃの輝度を制御する。
【００３４】
（動作）
図５は、第１の実施形態の表示装置の動作手順を表わすフローチャートである。
【００３５】
図５を参照して、まず、ユーザが、タッチパッド１３から輝度の設定値を入力すると、ＭＰＵ１２は、入力された輝度の設定値をメモリ１１に記憶する（ステップＳ１０１）。
【００３６】
次に、ＭＰＵ１２は、輝度の設定値を表わす制御信号をＰＷＭ信号発生回路１５へ出力する（ステップＳ１０２）。
【００３７】
次に、ＰＷＭ信号発生回路１５は、Ｄｕｔｙ比テーブルから輝度の設定値に対応するＤｕｔｙ比を読み出して、読み出したＤｕｔｙ比に基づくＰＷＭ信号を出力する（ステップＳ１０３）。
【００３８】
バックライトＬＥＤドライバ１６は、ＰＷＭ信号にしたがって、バックライトＬＥＤ１７の輝度を制御する。同時に、状態表示ＬＥＤドライバ１９、ボタンＬＥＤドライバ２１ａ，２１ｂ，２１ｃも、ＰＷＭ信号に従って、状態表示ＬＥＤ２、ボタンＬＥＤ３ａ，３ｂ，３ｃの輝度を制御する（ステップＳ１０４）。
【００３９】
（効果）
以上のように、第１の実施形態の表示装置によれば、ユーザからの輝度の設定値の入力という簡単な操作に基づいて、ディスプレイのバックライトの光源の輝度の調整と連動して、ボタンＬＥＤおよび状態表示ＬＥＤの輝度の調整が可能となる。
【００４０】
［第２の実施形態］
（構成）
図６は、第２の実施形態の表示装置の構成を表わす図である。
【００４１】
第２の実施形態の表示装置５２が、第１の実施形態の表示装置５１と相違する点は、以下である。
【００４２】
第２の実施形態の表示装置５２は、第１Ｄｕｔｙ比テーブル記憶部４２と、第１ＰＷＭ信号発生回路４３と、第２Ｄｕｔｙ比テーブル記憶部４４と、第２ＰＷＭ信号発生回路４５とを備える。
【００４３】
第１Ｄｕｔｙ比テーブル記憶部４２は、第１Ｄｕｔｙ比テーブルを記憶する。第１Ｄｕｔｙ比テーブルは、輝度の設定値と、第１Ｄｕｔｙ比との対応を定める。
【００４４】
第２Ｄｕｔｙ比テーブル記憶部４４は、第２Ｄｕｔｙ比テーブルを記憶する。第２Ｄｕｔｙ比テーブルは、輝度の設定値と、第２Ｄｕｔｙ比との対応を定める。
【００４５】
図７（ａ）は、第２の実施形態の第１Ｄｕｔｙ比テーブルの例を表わす図である。図７（ｂ）は、第２の実施形態の第２Ｄｕｔｙ比テーブルの例を表わす図である。
【００４６】
この例では、第２Ｄｕｔｙ比テーブルでは、第１Ｄｕｔｙ比テーブルよりも、輝度の設定値が小さい（暗い）ときのＤｕｔｙ比が大きい。これは、ボタンＬＥＤ３ａ，３ｂ，３ｃ、および状態表示ＬＥＤ２と、バックライトＬＥＤ１７とを同じＤｕｔｙ比のＰＷＭ信号で駆動したときに、ボタンＬＥＤ３ａ，３ｂ，３ｃおよび状態表示ＬＥＤ２によって照らさせるボタンおよび状態表示の見た目の明るさと、バックライトＬＥＤ１７によって照らされる液晶ディスプレイ１の見た目の明るさが異なる場合を考慮したものである。
【００４７】
第１ＰＷＭ信号発生回路４３は、ＭＰＵ１２から出力された制御信号を受けて、第１のＤｕｔｙ比テーブルから輝度の設定値に対応するＤｕｔｙ比を読み出して、読み出したＤｕｔｙ比の第１のＰＷＭ信号を出力する。
【００４８】
第２ＰＷＭ信号発生回路４５は、ＭＰＵ１２から出力された制御信号を受けて、第２のＤｕｔｙ比テーブルから輝度の設定値に対応するＤｕｔｙ比を読み出して、読み出したＤｕｔｙ比の第２のＰＷＭ信号を出力する。
【００４９】
（動作）
図８は、第２の実施形態の表示装置５２の動作手順を表わすフローチャートである。
【００５０】
図８を参照して、まず、ユーザが、タッチパッド１３から輝度の設定値を入力すると、ＭＰＵ１２は、入力された、輝度の設定値をメモリ１１に記憶する（ステップＳ１０１）。
【００５１】
次に、ＭＰＵ１２は、輝度の設定値を表わす制御信号を第１ＰＷＭ信号発生回路４３および第２ＰＷＭ信号発生回路４５へ出力する（ステップＳ２０２）。
【００５２】
次に、第１ＰＷＭ信号発生回路４３は、第１のＤｕｔｙ比テーブルから輝度の設定値に対応するＤｕｔｙ比を読み出して、読み出したＤｕｔｙ比の第１のＰＷＭ信号を出力する（ステップＳ２０３）。
【００５３】
また、第２ＰＷＭ信号発生回路４５は、第２のＤｕｔｙ比テーブルから輝度の設定値に対応するＤｕｔｙ比を読み出して、読み出したＤｕｔｙ比の第２のＰＷＭ信号を出力する（ステップＳ２０４）。
【００５４】
バックライトＬＥＤドライバ１６は、第１のＰＷＭ信号にしたがって、バックライトＬＥＤ１７の輝度を制御する。同時に、状態表示ＬＥＤドライバ１９、ボタンＬＥＤドライバ２１ａ，２１ｂ，２１ｃは、第２のＰＷＭ信号に従って、状態表示ＬＥＤ２、ボタンＬＥＤ３ａ，３ｂ，３ｃの輝度を制御する（ステップＳ２０５）。
【００５５】
（効果）
以上のように、第２の実施形態の表示装置によれば、第１の実施形態と同様に、ユーザからの輝度の設定値の入力という簡単な操作に基づいて、ディスプレイのバックライトの光源の輝度の調整と同時に、ボタンＬＥＤおよび状態表示ＬＥＤの輝度も調整できる。また、第２の実施形態の表示装置によれば、バックライトＬＥＤの輝度調整のためのＤｕｔｙ比テーブルと、状態表示ＬＥＤおよびボタンＬＥＤの輝度調整のためのテーブルを別個に持ち、それぞれのテーブルの輝度の設定値に対するＤｕｔｙ比の値を適切に調整することによって、ボタンＬＥＤおよび状態表示ＬＥＤによって照らさせるボタンおよび状態表示の見た目の明るさと、バックライトＬＥＤによって照らされる液晶ディスプレイの見た目の明るさを同程度にすることができる。
【００５６】
［第３の実施形態］
図９は、第３の実施形態の表示装置の構成を表わす図である。
【００５７】
第３の実施形態では、照度センサなどの出力値に応じて輝度を変更する場合に利用されるものである。第３の実施形態では、照度センサの出力値がプログラマブルコントローラに取込まれる。第３の実施形態の表示装置５３は、タッチパッドの代わりに、照度センサの出力に応じた輝度の設定値をプログラマブルコントローラから受信するための通信回路４９を備える。通信回路４９で受信した輝度の設定値がＭＰＵに送られる。その他の構成および動作は、第１の実施形態と同様である。
【００５８】
（効果）
以上のように、第３の実施形態の表示装置によれば、外部から輝度の設定値を受信したことに基づいて、ディスプレイのバックライトの光源の輝度の調整と同時に、ボタンＬＥＤおよび状態表示ＬＥＤの輝度も調整できる。
【００５９】
（変形例）
本発明は、上記の実施形態に限定されるものではなく、たとえば以下のような変形例も含む。
【００６０】
（１）  バックライト光源
本発明の実施形態では、バックライト光源は、ＬＥＤとしたが、これに限定するものではなく、たとえば、ＣＣＦＬ（Cold Cathode Fluorescent Lamp）であってもよい。
【００６１】
（２）  時刻による輝度の調整
時刻によって、バックライトＬＥＤとともに、状態ＬＥＤおよびボタンＬＥＤの輝度を変化させることとしてもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  ＬＣＤ、２  状態表示ＬＥＤ、３ａ〜３ｃ  ボタンＬＥＤ、１１  メモリ、１２  ＭＰＵ、１４  Ｄｕｔｙ比テーブル記憶部、１５  ＰＷＭ信号発生回路、１６  バックライトＬＥＤドライバ、１７  バックライトＬＥＤ、１９  状態表示ＬＥＤドライバ、２１ａ〜２１ｃ  ボタンＬＥＤドライバ、４２  第１Ｄｕｔｙ比テーブル記憶部、４３  第１ＰＷＭ信号発生回路、４４  第２Ｄｕｔｙ比テーブル記憶部、４５  第２ＰＷＭ信号発生回路、５１，５２，５３  表示装置、９８，９９  光源制御部。
【図１】
0005585429.tif 000002
【図２】
0005585429.tif 000003
【図３】
0005585429.tif 000004
【図４】
0005585429.tif 000005
【図５】
0005585429.tif 000006
【図６】
0005585429.tif 000007
【図７】
0005585429.tif 000008
【図８】
0005585429.tif 000009
【図９】
0005585429.tif 000010